(57)【特許請求の範囲】
【請求項１】
パッケージ本体とその蓋部とにより構成されたパッケージと、該パッケージ内に収容された光部品とを有し、前記パッケージ本体の底壁の内面と前記蓋部の内面のそれぞれ対向する位置から光部品保持部がパッケージ内に向けて突出形成され、前記光部品は前記それぞれ対向し合うパッケージ本体側の光部品保持部と蓋部側の光部品保持部とによって線接触状態で挟まれて保持されていることを特徴とする光モジュール。
【請求項２】
光部品保持部の先端面は斜面により形成され、前記光部品保持部の突出先端側の斜面が光部品の外形のエッジ部に線接触して光部品が光部品保持部により挟まれて保持されていることを特徴とする請求項１記載の光モジュール。
【請求項３】
光部品の温度を調節する温度調節素子を有することを特徴とする請求項１または請求項２記載の光モジュール。
【請求項４】
温度調節素子の消費電力を５Ｗ以下としたことを特徴とする請求項３記載の光モジュール。
【請求項５】
光部品保持部は熱伝導率が０．９Ｗ／（ｍ・K）以下の部材により形成されていることを特徴とする請求項４記載の光モジュール。
【請求項６】
光部品には少なくとも１本の光ファイバの一端側が接続されて該光ファイバの他端側は前記パッケージからパッケージ外部に引き出されており、前記パッケージの光ファイバ引き出し領域には前記パッケージに抜け止め状態で光ファイバ引き留め部材が配置され、該光ファイバ引き留め部材に前記光ファイバが固定されており、前記光ファイバ引き留め部材と前記パッケージとが光ファイバ長手方向に相対移動可能と成していることを特徴とする請求項１乃至請求項５のいずれか一つに記載の光モジュール。
【請求項７】
光部品は基板上に光導波路の回路を形成した光導波路回路を有することを特徴とする請求項１乃至請求項６のいずれか一つに記載の光モジュール。
【発明の詳細な説明】
【０００１】
【発明の属する技術分野】
本発明は、光通信システム等に用いられる光モジュールに関するものである。
【０００２】
【背景技術】
光通信において、光の分岐や光スイッチ、波長合分波等の機能を持つ光部品が広く用いられている。光部品は、様々に形成されているが、中でも基板上に光導波路の回路を形成した光導波路回路を有する光部品は、その集積性、量産性から期待されている。なお、光導波路回路は、従来、シリコンや石英等の基板上に石英系の材料等から成る光導波路の回路を設けて形成していたが、最近では、基板や光導波路の形成領域をポリイミド系の材料を用いた光導波路回路も形成されるようになった。
【０００３】
図６、図７は、それぞれ、光導波路回路の例を示す図であり、これらの光導波路回路は、基板１１上に導波路形成領域１０を形成して成る。
【０００４】
図６は、光導波路の回路として、１×８光分岐導波路回路を形成した光導波路回路の構成例を示すものである。図７は、光導波路の回路としてアレイ導波路回折格子の回路を形成した光導波路回路の構成例を示す。アレイ導波路回折格子は、波長多重通信用として用いられており、その回路構成も様々なものが提案されている。
【０００５】
図６に示すように、１×８光分岐導波路回路は１本の光入力導波路１２と８本の光出力導波路１６とを有しており、光入力導波路１２と光出力導波路１６との間に複数の分岐部１７を有している。
【０００６】
また、図７に示すように、アレイ導波路回折格子の回路は、少なくとも１本の光入力導波路１２と、該光入力導波路１２の出力端に接続された第１のスラブ導波路１３と、該第１のスラブ導波路１３の出力端に接続されたアレイ導波路１４と、該アレイ導波路１４の出力端に接続された第２のスラブ導波路１５と、該第２のスラブ導波路１５の出力端に接続されて複数並設された光出力導波路１６を有している。
【０００７】
前記アレイ導波路１４は、第１のスラブ導波路１３から導出された光を伝搬するものであり、複数のチャンネル導波路１４ａを並設して形成されており、隣り合うチャンネル導波路１４ａの長さは互いに設定量（ΔＬ）異なっている。
【０００８】
なお、光出力導波路１６は、例えばアレイ導波路回折格子によって分波あるいは合波される互いに異なる波長の信号光の数に対応させて設けられるものであり、アレイ導波路１４を構成するチャンネル導波路１４ａは、通常、例えば１００本といったように多数設けられる。ただし、図７においては、図の簡略化のために、これらのチャンネル導波路１４ａ、光出力導波路１６および光入力導波路１２の各々の本数を簡略的に示してある。
【０００９】
アレイ導波路回折格子の回路において、例えば図７に示すように、１本の光入力導波路１２に波長多重光が導入されると、この波長多重光は光入力導波路１２を通って第１のスラブ導波路１３に導入され、その回折効果によって広がってアレイ導波路１４に入力し、アレイ導波路１４を伝搬する。
【００１０】
このアレイ導波路１４を伝搬した光は、第２のスラブ導波路１５に達し、さらに、光出力導波路１６に集光されて出力されるが、アレイ導波路１４の全てのチャンネル導波路１４ａの長さが互いに異なることから、アレイ導波路１４を伝搬した後に個々の光の位相にずれが生じ、このずれ量に応じて集束光の波面が傾き、この傾き角度により集光する位置が決まる。したがって、異なる光出力導波路１６から、それぞれ異なる波長の光を出力することができる。
【００１１】
例えば図８に示すように、上記アレイ導波路回折格子の回路や光分岐導波路回路を備えた光導波路回路を有する光部品１は、パッケージ２内に収容され、光モジュールとして用いられる。なお、同図の（ａ）は光モジュールの斜視図、同図の（ｂ）は光モジュールをその上部から内部を透かして見た図、同図の（ｃ）は同図の（ｂ）のＡ−Ａ断面図である。
【００１２】
同図に示す光モジュールは、光部品１の一端側に接続された第１光ファイバ３（３ａ）と、光部品１の他端側に接続された第２光ファイバ３（３ｂ）とを有している。これらの光ファイバ３（３ａ，３ｂ）は、それぞれ、一端側が光部品１に接続され、他端側がパッケージ２からパッケージ外部に引き出されている。光ファイバ３（３ａ，３ｂ）は、パッケージ２に接着剤２３により固定されている。
【００１３】
第１、第２光ファイバ３ａ，３ｂは、それぞれ、例えば複数の光ファイバを並列配設して成る光ファイバテープにより形成されており、光ファイバテープの接続端面には光ファイバアレイ２１が設けられている。第１、第２光ファイバ３ａ，３ｂと光部品１との接続、すなわち、光ファイバアレイ２１と光部品１との接続は接着剤を用いた接着剤固定により行なわれている。
【００１４】
また、光部品１の接続端面にはチップ上板２０が貼り付けられ、光部品１と第１、第２光ファイバ３ａ，３ｂのそれぞれの端部の光ファイバアレイ２１との接続をより安定なものとしている。
【００１５】
パッケージ２はパッケージ本体２ａと蓋部２ｂを有している。パッケージ２は、主に、アルミニウムやステンレス等の金属やプラスチックにより形成されており、パッケージ２内に光部品１および光部品１と光ファイバ３（３ａ，３ｂ）との接続部を収容することにより、これらを保護している。
【００１６】
ところで、光モジュールは、例えば０℃〜７０℃といった温度範囲で使用されることを前提とするため、その温度範囲内で特性が変化しないことが要求されている。そのため、アレイ導波路回折格子をはじめとし、温度変化が光学特性に大きな影響を与える光部品１に関しては、温度調節が必要となる。
【００１７】
そこで、図８に示すような光モジュールにおいて、パッケージ２内にヒーター等の温度調節素子（図示せず）を設け、光部品１を例えば７０〜８０℃といった一定の値に加熱保持する方式を適用した構成が使用されている。このような温度調節素子を設けた光モジュールにおいては、温度調節素子の消費電力をできるだけ小さくすることが求められている。例えば使用温度範囲内において、最大消費電力を５Ｗ以下にすることが求められている。
【００１８】
この低消費電力を実現するために、様々なパッケージ構造が考案されている。例えば、特開平１１―０１４８４４号公報には、「ヒーター加熱導波路の実装方法およびそのパッケージ」という名称の発明が提案されている。この提案は、１〜４本の支柱を介して光部品をパッケージ内に浮かせて収容する構成を提案している。
【００１９】
この提案は、支柱固定面の面積を０．０３〜１．０ｃｍ２とし、光部品と支柱との接触面積および支柱とパッケージとの接触面積を小さくして、光部品からパッケージ側への熱伝導量を小さくすることにより、ヒーターの消費電力を小さくする方法を提案している。
【００２０】
【発明が解決しようとする課題】
ところで、光通信システム装置に組み込まれる光モジュールには、その寸法（厚み）を小さくすることが要求されている。そこで、本発明者は、この要求に合わせて、図９に示すような、パッケージ２の厚み（図９に示すＡ）を、システム側の要求値である１２ｍｍ以下に小さくした光モジュール試作することにした。
【００２１】
この試作光モジュールは、特開平１１―０１４８４４号公報の構成を適用した光モジュールであり、光導波路チップ９と均熱板１２と温度調節素子５を順に重ね合わせて形成されている。
【００２２】
温度調節素子５はヒーターにより形成されている。均熱板１２には白金抵抗素子が取り付けており、白金抵抗素子は光部品１の温度を検出するために設けられている。均熱板１２の下部側には、その四隅に支柱３０を設けている。光導波路チップ９の上面とパッケージ２の蓋部２ｂとの間の空気層の厚み（同図のＢ）および、均熱板１２の下面とパッケージ２のパッケージ本体２ａとの間の空気層の厚み（同図のＢ′）は、共に２ｍｍである。
【００２３】
表１に、この試作光モジュールの部品構成を示す。なお、表１における白金抵抗素子の抵抗は０℃における値、支柱のサイズは、１本の支柱３０の上面と均熱板１２との接触面積を示す。
【００２４】
【表１】
0004084050.tif 000002
【００２５】
この光モジュールの温度調節素子５の消費電力を測定したところ、例えば環境温度を０℃、光モジュールの設定温度を８０℃にしたときの消費電力は５．３１Ｗとなり、システム側から要求されている値である５Ｗを越えてしまった。
【００２６】
なお、図９に示す構成においても、パッケージ２のパッケージ本体２ａと蓋部２ｂを形成する壁厚を変えずに、例えば光導波路チップ９の上面とパッケージ２との間の空気層の厚み（同図のＢ）および、均熱板１２の下面とパッケージ２との間の空気層の厚み（同図のＢ′）を共に７ｍｍとすれば、上記消費電力を５W以下に小さくできる。
【００２７】
しかし、この光モジュールは厚みが２２ｍｍと大きくなり、システム側から要求されている小型化の要求、つまり、図９のＡに示したようなパッケージ２の厚みを１２ｍｍ以下に薄くする要求を満たすことができない。
【００２８】
また、光モジュールには、光ファイバ３（３ａ，３ｂ）が引っ張られても、挿入損失等の光学特性が変化しないことを要求される。しかしながら、従来の光モジュールにおいて、光ファイバ３（３ａ，３ｂ）は接着剤２３によってパッケージ２に固定されており、光ファイバ３（３ａ，３ｂ）が引っ張られると、その応力がパッケージ２内の光ファイバ３（３ａ，３ｂ）や光ファイバ３（３ａ，３ｂ）と光部品１との接続部に付与されてしまう。
【００２９】
また、光モジュールのパッケージ２は金属やプラスチック等の線膨張係数が大きい材料により形成されており、温度変化によって、光部品１の構成部材や光ファイバ３（３ａ，３ｂ）よりも大きく伸縮し、この伸縮に伴い、パッケージ２に固定されている光ファイバ３（３ａ，３ｂ）に応力が付与される。そうすると、この応力は、光ファイバ３（３ａ，３ｂ）と接着固定されている光部品１にも付与されてしまう。
【００３０】
そうすると、この応力の影響により、特に、光部品１と光ファイバ３（３ａ，３ｂ）との接続部の挿入損失増大を招くことになった。
【００３１】
また、上記応力付与によって、光部品１と光ファイバ３（３ａ，３ｂ）との接続部の破壊が生じたり、場合によっては光部品１が均熱板１２からはがれてしまったりすることもあり、繰り返しの温度変化で光モジュールの性能低下、寿命の短縮が生じるといった問題が生じた。
【００３２】
本発明は上記従来の課題を解決するために成されたものであり、その目的は、消費電力が小さく小型であり、パッケージ外部からの光ファイバへの引っ張り応力や使用温度変化に伴うパッケージの熱伸縮の影響を受けても特性劣化等が生じにくい光モジュールを提供することにある。
【００３３】
【課題を解決するための手段】
上記目的を達成するために、本発明は次のような構成をもって課題を解決するための手段としている。すなわち、第１の発明は、パッケージ本体とその蓋部とにより構成されたパッケージと、該パッケージ内に収容された光部品とを有し、前記パッケージ本体の底壁の内面と前記蓋部の内面のそれぞれ対向する位置から光部品保持部がパッケージ内に向けて突出形成され、前記光部品は前記それぞれ対向し合うパッケージ本体側の光部品保持部と蓋部側の光部品保持部とによって線接触状態で挟まれて保持されている構成をもって課題を解決する手段としている。
【００３４】
また、第２の発明は、上記第１の発明の構成に加え、前記光部品保持部の先端面は斜面により形成され、前記光部品保持部の突出先端側の斜面が光部品の外形のエッジ部に線接触して光部品が光部品保持部により挟まれて保持されている構成をもって課題を解決する手段としている。
【００３５】
さらに、第３の発明は、上記第１または第２の発明の構成に加え、前記光部品の温度を調節する温度調節素子を有する構成をもって課題を解決する手段としている。
【００３６】
さらに、第４の発明は、上記第３の発明の構成に加え、前記温度調節素子の消費電力を５Ｗ以下とした構成をもって課題を解決する手段としている。
【００３７】
さらに、第５の発明は、上記第４の発明の構成に加え、前記光部品保持部は熱伝導率が０．９Ｗ／（ｍ・Ｋ）以下の部材により形成されている構成をもって課題を解決する手段としている。
【００３８】
さらに、第６の発明は、上記第１乃至第５のいずれか一つの発明の構成に加え、前記光部品には少なくとも１本の光ファイバの一端側が接続されて該光ファイバの他端側は前記パッケージからパッケージ外部に引き出されており、前記パッケージの光ファイバ引き出し領域には前記パッケージに抜け止め状態で光ファイバ引き留め部材が配置され、該光ファイバ引き留め部材に前記光ファイバが固定されており、前記光ファイバ引き留め部材と前記パッケージとが光ファイバ長手方向に相対移動可能と成している構成をもって課題を解決する手段としている。
【００３９】
さらに、第７の発明は、上記第１乃至第６のいずれか一つの発明の構成に加え、前記光部品は基板上に光導波路の回路を形成した光導波路回路を有する構成をもって課題を解決する手段としている。
【００４０】
【発明の実施の形態】
以下、本発明の実施の形態を、図面を参照して説明する。なお、本実施形態例の説明において、従来例と同一名称部分には同一符号を付し、その重複説明は省略または簡略化する。
【００４１】
図１の（ａ）〜（ｃ）には、本発明に係る光モジュールの一実施形態例の要部構成が示されている。同図の（ａ）は、本実施形態例の光モジュールを、上部から内部を透かして見た図である。同図の（ｂ）は図１の（ａ）のＡ−Ａ断面図、同図の（ｃ）は図１の（ａ）のＢ−Ｂ断面図である。
【００４２】
これらの図に示すように、本実施形態例の光モジュールは、パッケージ２と、該パッケージ２内に固定されずに収容された光部品１を有している。光部品１は、図７に示したような、基板１１上にアレイ導波路回折格子の回路を形成した光導波路回路である。
【００４３】
パッケージ２はポリフェニレンサルファイド樹脂により形成されている。パッケージ２はパッケージ本体２ａと蓋部２ｂを有しており、パッケージ２のサイズは、１２７ｍｍ×５８ｍｍ×１２ｍｍである。
【００４４】
パッケージ２内には光部品保持部７が設けられており、図１の（ｃ）に示すように、光部品保持部７はパッケージ２の内壁側から光部品１のエッジ部側に向けて突出形成されている。これらの光部品保持部７の突出先端側がそれぞれ、同図に示すＣ部で、光部品１のエッジ部に線接触している（Ｃ部において、紙面に垂直な線で接触している）。
【００４５】
このように、本実施形態例では、光部品１がパッケージ２内に収容された光部品保持部７に線接触で保持されていることを特徴としている。光部品保持部７は、熱伝導率が０．９Ｗ／（ｍ・Ｋ）以下であるポリフェニレンサルファイド樹脂の部材により形成されている。
【００４６】
光部品１は光部品保持部７により上下両側から支持される態様で保持されており、光部品１の表面（図１（ｂ）、（ｃ）における光部品１の上側の面）とパッケージ２の蓋部２ｂとの間隔は２ｍｍ、光部品１の基板側の面（図１（ｂ）、（ｃ）における光部品１の下側の面）とパッケージ本体２ａとの間隔は２ｍｍである。
【００４７】
図２の（ａ）は、光部品保持部７による光部品１の保持形態を斜視図により示す図であり、この図に示すように、それぞれ光部品保持部７は斜面９を有するブロック形状の保持部材８（８ａ〜８ｈ）により形成されている。なお、図２の（ｂ）には、１つの保持部材８の斜視図が示されており、このように、保持部材８は７面体である。
【００４８】
図２の（ａ）に示す、保持部材８（８ａ〜８ｄ）の上面１８はパッケージ２（同図には図示せず）の蓋部２ｂの内壁に接着固定され、保持部材８（８ｅ〜８ｈ）の底面１９はパッケージ２のパッケージ本体２ａの内壁に接着固定されている。
【００４９】
そして、それぞれの保持部材８（８ａ〜８ｈ）はパッケージ２の内壁側から光部品１のエッジ部側に向けて突出形成され、前記上面１８および底面１９の反対側に形成された斜面９が、チップ上板２０を含む光部品１のエッジ部に線接触している。この線接触領域は、図２の（ｃ）の太線で示す領域Ｃであり、接触線長は５ｍｍである。
【００５０】
図１に示すように、光部品１の基板側の面には、光部品１の温度を調節する温度調節素子５が設けられており、温度調節素子５は光部品１と直接接合されている。また、光部品１の表面側には測温体４０が設けられて接着固定されている。これらの温度調節素子５や測温体４０を設けることにより、本実施形態例は、光部品１を例えば７０〜８０℃といった一定温度に保つことができる。
【００５１】
温度調節素子５は、シリコンラバーヒーターにより形成されており、その電気抵抗値は３Ω、サイズは３０ｍｍ×２０ｍｍ×２ｍｍである。測温体４０は白金抵抗素子であり、０℃における電気抵抗値が１００Ω、サイズは１．６ｍｍ×３．２ｍｍ×１．０ｍｍである。
【００５２】
光部品１には、少なくとも１本（ここでは２本）の光ファイバ３（３ａ，３ｂ）の一端側が接続されており、これらの光ファイバ３（３ａ，３ｂ）の他端側は前記パッケージ２からパッケージ外部に引き出されている。
【００５３】
第１光ファイバ３ａは光部品１の一端側に接続され、第２光ファイバ３ｂは光部品１の他端側に接続されており、第１光ファイバ３ａがパッケージ２の一端側から引き出され、第２光ファイバ３ｂがパッケージ２の他端側から引き出されている。第１、第２光ファイバ３（３ａ，３ｂ）は、それぞれ、８本の光ファイバ心線を並列配設して成る光ファイバテープである。
【００５４】
パッケージ２の光ファイバ引き出し領域にはパッケージ２に抜け止め状態で光ファイバ引き留め部材４（４ａ，４ｂ）が配置されている。光ファイバ引き留め部材４（４ａ，４ｂ）は、いずれも図３に示す形状を有している。光ファイバ引き留め部材４（４ａ，４ｂ）とパッケージ２とは、Ｘ方向、Ｙ方向にそれぞれ若干の間隔を介して配置されている。
【００５５】
前記光ファイバ３（３ａ，３ｂ）は、それぞれ、光ファイバ引き留め部材４（４ａ，４ｂ）に挿通され、接着剤２３により固定されている。図１の（ｂ）に示すように、接着剤２３は光ファイバ引き留め部材４（４ａ，４ｂ）の長手方向のほぼ全領域に設けられているが、接着剤２３は光ファイバ引き留め部材４（４ａ，４ｂ）の長手方向の一部に設けられていてもよい。第１光ファイバ３ａが第１光ファイバ引き留め部材４ａに固定され、第２光ファイバ３ｂが第２光ファイバ引き留め部材４ｂに固定されている。
【００５６】
第１光ファイバ引き留め部材４（４ａ）と第２光ファイバ引き留め部材４（４ｂ）は、それぞれ光ファイバ長手方向（図のＺ方向）に互いに間隔を介した位置において光ファイバ長手方向と交わる方向に張り出した第１鍔部４ａ１，４ｂ１と第２鍔部４ａ２，４ｂ２とを有し、これら第１鍔部４ａ１，４ｂ１と第２鍔部４ａ２，４ｂ２とによって前記パッケージ２の光ファイバ引き出し領域の壁を両側から間隔を介して挟む態様と成している。
【００５７】
上記構成によって、本実施形態例では、光ファイバ引き留め部材４（４ａ，４ｂ）と前記パッケージ２とが光ファイバ長手方向に相対移動可能と成し、かつ、前記の如く、光ファイバ引き留め部材４（４ａ，４ｂ）がパッケージ２に抜け止め状態で配置されている。
【００５８】
第１光ファイバ引き留め部材４（４ａ）と第２光ファイバ引き留め部材４（４ｂ）には、第１鍔部４ａ１，４ｂ１にそれぞれ隣接して光ファイバ引き出し部４ａ３，４ｂ３が設けられ、光ファイバ引き出し部４ａ３は接着剤によって第１鍔部４ａ１に固定され、光ファイバ引き出し部４ｂ３は接着剤によって第１鍔部４ｂ１に固定されている。
【００５９】
光ファイバ引き出し部４ａ３，４ｂ３はバイトン（ゴム）により形成されており、第１、第２光ファイバ引き留め部材４（４ａ，４ｂ）の光ファイバ引き出し部４ａ３，４ｂ３を除く部分は、ポリフェニレンサルファイド樹脂により形成されている。
【００６０】
第１鍔部４ａ１，４ｂ１はパッケージ２の外部に、第２鍔部４ａ２，４ｂ２はパッケージ２の内部にそれぞれ配置されている。第１光ファイバ引き留め部材４ａの第１鍔部４ａ１とパッケージ２との間隔はｄ１、第１光ファイバ引き留め部材４ａの第２鍔部４ａ２とパッケージ２との間隔はｄ２、第２光ファイバ引き留め部材４ｂの第２鍔部４ｂ２とパッケージ２との間隔はｄ３、第２光ファイバ引き留め部材４ｂの第１鍔部４ｂ１とパッケージ２との間隔はｄ４である。
【００６１】
上記間隔ｄ１、ｄ２、ｄ３、ｄ４の値は、いずれも変数であり、これらの間隔の関係は、ｄ１>ｄ３、かつ、ｄ４>ｄ２と成している。なお、光モジュール作製時において、ｄ１、ｄ２、ｄ３、ｄ４の値はそれぞれ、０．５ｍｍ、０．５ｍｍ、０、１．０ｍｍとしており、第１、第２光ファイバ引き留め部材４ａ，４ｂの移動可能距離は０．５ｍｍである。
【００６２】
本実施形態例において、光ファイバ引き留め部材４（４ａ，４ｂ）とパッケージ２との間隔を上記のように形成することによって、光ファイバ引き留め部材４（４ａ，４ｂ）とパッケージ２との相対移動範囲が、光ファイバ３（３ａ，３ｂ）に引っ張り応力を加えたときに該引っ張り応力が光部品１および光部品１と光ファイバ３（３ａ，３ｂ）との接続部に付与されることを抑制できる範囲と成している。
【００６３】
また、本実施形態例では、光ファイバ引き留め部材４（４ａ，４ｂ）とパッケージ２との間隔を上記のように形成することにより、光ファイバ引き留め部材４（４ａ，４ｂ）とパッケージ２との相対移動範囲が、使用温度範囲内の温度変化に伴うパッケージ２の熱伸縮によるパッケージ２と光ファイバ引き留め部材４（４ａ，４ｂ）との相対変位量より大きく形成されている。
【００６４】
なお、光ファイバ３（３ａ，３ｂ）のパッケージ２からの引き出し部において、上記のように、光ファイバ引き留め部材４（４ａ，４ｂ）を設け、この光ファイバ引き留め部材４（４ａ，４ｂ）とパッケージ２との間隔を上記のように形成する構成は、本出願人が以前に提案した特願２００１−３０６５２４（未だ公開になっていない）に記載されている。
【００６５】
また、上記光ファイバ引き留め部材４（４ａ，４ｂ）の配設構成による作用、効果は、この提案に詳細に記載されている通りであり、本明細書においては、上記構成による作用、効果の詳細説明は省略する。
【００６６】
ところで、本発明者は、上記構成を決定する際、光部品保持部７の材質を変えて光部品保持部７の熱伝導率を様々に変え、光部品保持部７の熱伝導率と温度調節素子５の消費電力との関係を測定した。
【００６７】
その結果、図４に示すように、パッケージ２の厚み（図１の（ｃ）のＡ）を１２ｍｍと薄型にして温度調節素子５の消費電力を５Ｗ以下に小さくするためには、熱伝導率が０．９Ｗ／（ｍ・Ｋ）以下の材質によって光部品保持部７を形成する必要があることが分かった。そこで、本実施形態例では、光部品保持部７の材質を、熱伝導率が０．９Ｗ／（ｍ・Ｋ）以下のポリフェニレンサルファイド樹脂により形成した。
【００６８】
なお、本実施形態例の光モジュールの使用温度範囲は０℃〜７０℃であり、温度調節素子５によって調節する光部品１の設定温度は７０℃〜８０℃である。
【００６９】
本実施形態例は、以上のように構成されており、光部品１がパッケージ２内に設けられた光部品保持部７に線接触で保持されているので、温度調節素子５により加熱した光部品１の熱が光部品１からパッケージ２側へ伝導する割合を小さくすることができる。したがって、光部品１を効率的に加熱保温することができ、温度調節素子５の消費電力を小さくすることができる。
【００７０】
また、本実施形態例によれば、光部品保持部７は光部品１の四隅のエッジ部に線接触しているので、光部品保持部７と光部品１との接触部を温度調節素子５による加熱部中心から遠ざけることができ、より一層の低消費電力化を可能としている。
【００７１】
実際に、本発明者が、環境温度０℃の雰囲気下に本実施形態例の光モジュールを配置し、温度調節素子５の設定温度を８０℃としてその消費電力を測定したところ、３．８２Ｗであった。このように、本実施形態例の光モジュールは、システム側からの要求である、パッケージ厚（図１の（ｃ）のＡ）が１２ｍｍと薄型で、かつ、消費電力５Ｗ以下を達成する要求を達成できた。
【００７２】
なお、本実施形態例において、光部品保持部７は、熱伝導率が０．９Ｗ／（ｍ・Ｋ）以下の小さい値であるポリフェニレンサルファイド樹脂の保持部材８（８ａ〜８ｈ）により形成されているので、光部品１を効率的に加熱保温することができ、図４に示したように、温度調節素子５の消費電力を５Ｗ以下に小さくすることができた。
【００７３】
また、本実施形態例は、光ファイバ３（３ａ，３ｂ）のパッケージ２からの引き出し部に光ファイバ引き留め部材４（４ａ，４ｂ）を設け、光ファイバ引き留め部材４（４ａ，４ｂ）とパッケージ２との間隔を上記のようにｄ１>ｄ３、かつ、ｄ４>ｄ２として、適宜形成することによって、以下の効果を奏する。
【００７４】
つまり、第２光ファイバ３（３ｂ）に、図１の（ａ）、（ｂ）の右側に向けた引っ張り応力が加えられると、光ファイバ３（３ａ，３ｂ）と光部品１が、パッケージ２に対して、これらの図の右側に相対移動するが、第２光ファイバ引き留め部材４（４ｂ）の第２鍔部４ｂ２がパッケージ２に引っかかると、それ以上移動できなくなる。
【００７５】
そして、このとき、第１光ファイバ引き留め部材４（４ａ）の第１鍔部４ａ１とパッケージ２との間隔ｄ１>０であるため、光部品１および光部品１と光ファイバ３（３ａ，３ｂ）との接続部に応力が付与されることはなく、光部品１の挿入損失などの光学特性は変化しない。
【００７６】
また、第１光ファイバ３（３ａ）に、図１の（ａ）、（ｂ）の左側に向けた引っ張り応力を加えると、この引っ張り応力に応じて、光ファイバ３（３ａ，３ｂ）と光部品１が、パッケージ２に対して、これらの図の左側に相対移動するが、第１光ファイバ引き留め部材４（４ａ）の第２鍔部４ａ２がパッケージ２に引っかかると、それ以上移動できなくなる。
【００７７】
そして、このとき、第２光ファイバ引き留め部材４（４ｂ）の第１鍔部４ｂ１とパッケージ２との間隔ｄ４>０であるため、光部品１および光部品１と光ファイバ３（３ａ，３ｂ）との接続部に応力が付与されることはなく、光部品１の挿入損失などの光学特性は変化しない。
【００７８】
したがって、本実施形態例は、光ファイバ３（３ａ，３ｂ）に加えられた引っ張り応力がパッケージ２内の光部品１や光部品１と光ファイバ３（３ａ，３ｂ）の接続部に加えられることを抑制でき、光部品１の光学特性の変化を抑制することができる。
【００７９】
実際に、光モジュールの光ファイバ３（３ａ，３ｂ）を、パッケージ２の光ファイバ引き出し口から１００ｍｍ離れたところを持って６０秒間１５Ｎの荷重で引っ張る試験を行なったところ、表２に示す結果が得られた。
【００８０】
【表２】
0004084050.tif 000003
【００８１】
なお、表２は、応力付与中の挿入損失の変動（増大）を示している。この表から明らかなように、本実施形態例は、光ファイバ３（３ａ，３ｂ）のパッケージ２からの引き出し口に、光ファイバ引き留め部材４（４ａ，４ｂ）を設ける上記構成により、引っ張り力が光部品１や光部品１と光ファイバ３（３ａ，３ｂ）の接続部に全く加わらず、光部品１の挿入損失の変動は起こらない。
【００８２】
また、本実施形態例の光モジュールは、パッケージ２が使用温度範囲内の温度変化に伴って熱伸縮したときには、パッケージ２と光ファイバ引き留め部材４（４ａ，４ｂ）とが相対移動するので、上記パッケージ２の熱伸縮に伴い、パッケージ２からパッケージ２内の光部品１や光部品１と光ファイバ３（３ａ，３ｂ）との接続部に応力が加わることはない。
【００８３】
さらに、本実施形態例によれば、光ファイバ引き留め部材４（４ａ，４ｂ）の光ファイバ引き出し部（４ａ３，４ｂ３）がバイトン（ゴム）により形成されているので、光ファイバ３（３ａ，３ｂ）に横曲げが加えられても、その横曲げによる損失増大を抑制できる。
【００８４】
なお、本発明は上記実施形態例に限定されることはなく、様々な実施の態様を採り得る。例えば、上記実施形態例では、光部品保持部７をパッケージ２の内壁側から光部品１のエッジ部側に向けて突出形成し、光部品保持部７の突出先端側を光部品１のエッジ部に線接触させたが、光部品保持部７の配設形態、形状、数等は特に限定されるものではなく適宜設定されるものである。
【００８５】
例えば図５に示すように、パッケージ２（同図には図示せず）内に、斜面９ａ，９ｂを有する形状の光部品保持部７を設け、この斜面９ａ，９ｂの稜線を光部品１の基板面に線接触させてもよい。このように、本発明の光モジュールは、パッケージ２内に設けた光部品保持部７によって光部品１を線接触で保持すればよい。
【００８６】
また、上記実施形態例では、光部品保持部７はパッケージ２の内壁に接着固定されていたが、光部品保持部７は必ずしもパッケージ２の内壁に接着固定するとは限らず、例えば光部品保持部７をパッケージ２と一体的に形成してもよい。
【００８７】
さらに、上記実施形態例では、光ファイバ引き留め部材４（４ａ，４ｂ）を図３に示したような形状とし、その第１鍔部（４ａ１，４ｂ１）と第２鍔部（４ａ２，４ｂ２）をポリフェニレンサルファイド樹脂により形成し、光ファイバ引き出し部（４ａ３，４ｂ３）はバイトンにより形成したが、光ファイバ引き留め部材４（４ａ，４ｂ）の形状や形成材料は特に限定されることはなく適宜設定されるものである。
【００８８】
さらに、光ファイバ引き留め部材４（４ａ，４ｂ）と光ファイバ３（３ａ，３ｂ）の固定は、必ずしも接着剤２３により行なうとは限らず、両者を固定できるものであればよい。
【００８９】
さらに、光ファイバ引き留め部材４（４ａ，４ｂ）の大きさ、形成方法等は特に限定されるものでなく適宜設定されるものであり、例えばプラスチック材料の光ファイバ引き留め部材４（４ａ，４ｂ）を、光ファイバ３（３ａ，３ｂ）と一体的に成形して形成してもよい。
【００９０】
さらに、上記実施形態例では、光ファイバ３（３ａ，３ｂ）のパッケージ２からの引き出し部に光ファイバ引き留め部材４（４ａ，４ｂ）を設けたが、光ファイバ引き留め部材４（４ａ，４ｂ）を省略し、光ファイバ３（３ａ，３ｂ）をパッケージ２に固定する構成としてもよい。この場合でも、光部品１を光部品保持部７により線接触で保持する構成を適用することにより、消費電力が小さい小型の光モジュールを実現できる。
【００９１】
さらに、上記実施形態例では、光部品１の両端側に光ファイバ３（３ａ，３ｂ）を接続したが、光部品１の一端側にのみ光ファイバ３を接続してもよい。
【００９２】
さらに、上記実施形態例では、光ファイバ３（３ａ，３ｂ）は光ファイバテープとしたが、本発明の光モジュールに適用される光ファイバは１本の光ファイバとしてもよい。
【００９３】
さらに、上記実施形態例では、光部品１は、アレイ導波路回折格子の回路を有する光導波路回路の光部品１としたが、本発明の光モジュールに適用される光部品は特に限定されるものではなく適宜設定されるものであり、例えば１×８光導波路回路を有する光導波路回路としてもよい。
【００９４】
また、光導波路回路以外の光部品を適用して光モジュールを形成してもよい。光部品の例としては、光ファイバ型カプラ、光ファイバグレーティング、といった光ファイバを主とした光部品、光学結晶、多層膜フィルタを用いた光部品等がある。
【００９５】
さらに、上記実施形態例では、温度調節素子５はヒーターを有する構成としたが、温度調節素子５は、例えばペルチェ素子等を有する構成等、様々な構成が適用できる。
【００９６】
【発明の効果】
本発明によれば、パッケージ内に収容された光部品は、パッケージ内に設けられた光部品保持部に線接触で保持されているので、光部品からパッケージ側への熱伝導を小さくすることができる。したがって、光部品の温度調節を効率的に行うことができ、温度調節のための消費電力を小さくすることができる。
【００９７】
また、本発明において、光部品保持部はパッケージの内壁側から光部品のエッジ部側に向けて突出形成され、前記光部品保持部の突出先端側が光部品のエッジ部に線接触している構成によれば、光部品保持部と光部品との接触部を光部品の中心から遠ざけることができる。したがって、光部品の温度調節をより一層効率的に行うことができ、温度調節のための消費電力を小さくすることができる。
【００９８】
さらに、本発明において、光部品の温度を調節する温度調節素子を有する構成によれば、上記効果によって、温度調節素子により、小さい消費電力で光部品の温度を調節することができ、例えば光部品が温度に依存して特性が変化する光部品であっても、その特性を維持することができる。
【００９９】
さらに、本発明において、温度調節素子の消費電力を５Ｗ以下とした構成によれば、光通信システム側から要求されている低消費電力化を実現することができる。
【０１００】
さらに、本発明において、光部品保持部は、熱伝導率が０．９Ｗ／（ｍ・Ｋ）以下の部材により形成されている構成によれば、光部品からパッケージ側への熱伝導をさらにより一層小さくすることができ、光部品の温度調節をより一層効率的に行うことができ、温度調節のための消費電力を小さくすることができる。
【０１０１】
さらに、本発明において、光部品に接続された光ファイバの引き出し領域において、パッケージに抜け止め状態で配置された光ファイバ引き留め部材に光ファイバが固定され、光ファイバ引き留め部材と前記パッケージとは光ファイバ長手方向に相対移動可能と成しているので、例えば光ファイバに引っ張り応力が加えられたときには、光ファイバと光部品は、光ファイバ引き留め部材と共にパッケージに対して光ファイバ長手方向に相対移動することができる。
【０１０２】
そのため、この構成の発明は、外力やパッケージの温度変化に伴う膨張収縮等に伴って、パッケージ内の光部品や光部品と光ファイバとの接続部に引っ張り応力が加えられることを抑制できる。
【０１０３】
さらに、本発明において、光部品は基板上に光導波路の回路を形成した光導波路回路を有する構成によれば、光導波路回路に形成する様々な回路構成を適宜設定することにより、光の分岐、合分波等、様々な機能を有する光モジュールを正確に形成することができる。
【図面の簡単な説明】
【図１】本発明に係る光モジュールの一実施形態例を示す要部構成図である。
【図２】上記実施形態例の光モジュールにおける光部品保持部と、その光部品保持形態の説明図である。
【図３】上記実施形態例の光モジュールに適用されている光ファイバ引き留め部材を示す説明図である。
【図４】光部品保持部の熱伝導率と温度調節素子の消費電力との関係を示すグラフである。
【図５】本発明に係る光モジュールの他の実施形態例における光部品保持部と、その光部品保持形態の説明図である。
【図６】１×８光導波路回路を有する光導波路回路の例を示す説明図である。
【図７】アレイ導波路回折格子の回路を有する光導波路回路の例を示す説明図である。
【図８】従来の光モジュールの構成例を示す説明図である。
【図９】従来提案されている光モジュールの構成例を断面図により示す説明図である。
【符号の説明】
１  光部品
２  パッケージ
３  光ファイバ
３ａ  第１光ファイバ
３ｂ  第２光ファイバ
４  光ファイバ引き留め部材
４ａ  第１光ファイバ引き留め部材
４ｂ  第２光ファイバ引き留め部材
４ａ１，４ｂ１  第１鍔部
４ａ２，４ｂ２  第２鍔部
５  温度調節素子
７  光部品保持部
８，８ａ〜８ｈ  保持部材
９，９ａ，９ｂ  斜面
【図１】
0004084050.tif 000004
【図２】
0004084050.tif 000005
【図３】
0004084050.tif 000006
【図４】
0004084050.tif 000007
【図５】
0004084050.tif 000008
【図６】
0004084050.tif 000009
【図７】
0004084050.tif 000010
【図８】
0004084050.tif 000011
【図９】
0004084050.tif 000012